(57)【要約】【課題】より明瞭な注意喚起機能を提供することにより使用者が自分のスケジュールを容易に確認可能にする。【解決手段】使用者に注意を喚起させるように他の表示情報と明確に区別された形式により、移動通信端末機の表示部に予定された行事に関する警報を表示する。この場合、警報表示として、予定された行事に関する情報が表示部の画面を横切って移動しながら表示される。又は、予定された行事に関する情報が表示部にハイライトにされて表示される。又は、点滅しながら表示される。【選択図】図２
2008021313.tif 000002
【特許請求の範囲】
【請求項１】
移動通信端末機のスケジューリング機能を利用して該移動通信端末機の使用者に予定された行事を通知するスケジュール管理方法であって、
前記使用者に注意を喚起させるように他の表示情報と明確に区別された形式により、前記移動通信端末機の表示部に前記予定された行事に関する警報を表示することを特徴とする移動通信端末機のスケジュール管理方法。
【請求項２】
前記警報は、前記予定された行事に関する情報が前記表示部の画面を横切って移動しながら表示されることを特徴とする請求項１記載の移動通信端末機のスケジュール管理方法。
【請求項３】
前記警報は、前記予定された行事に関する情報が前記表示部にハイライトにされて表示されることを特徴とする請求項１記載の移動通信端末機のスケジュール管理方法。
【請求項４】
前記警報は、前記予定された行事に関する情報が前記表示部に点滅しながら表示されることを特徴とする請求項１記載の移動通信端末機のスケジュール管理方法。
【請求項５】
前記警報は、前記予定された行事に関する情報が前記表示部の画面を横切って動画形式で表示されることを特徴とする請求項１記載の移動通信端末機のスケジュール管理方法。
【請求項６】
前記警報は、 前記予定された行事の発生前に所定の時間間隔で表示されることを特徴とする請求項１記載の移動通信端末機のスケジュール管理方法。
【請求項７】
前記時間間隔は、使用者によって選択されて設定されることを特徴とする請求項６記載の移動通信端末機のスケジュール管理方法。
【請求項８】
前記行事に関する情報は、使用者によって選択された速度で前記表示部の画面を横切って移動することを特徴とする請求項２記載の移動通信端末機のスケジュール管理方法。
【請求項９】
複数の前記警報が前記表示部の画面上に表示可能とされ、
最初に発生する第１の行事に関する第１の警報が次に遅れて発生する第２の行事に関する第２の警報よりも早い時刻に表示されることを特徴とする請求項１記載の移動通信端末機のスケジュール管理方法。
【請求項１０】
前記使用者が前記表示部の画面上に同時に表示される前記複数の警報の最大個数を設定可能としたことを特徴とする請求項９記載の移動通信端末機のスケジュール管理方法。
【請求項１１】
表示部と、
前記表示部の画面上に予定された行事に関する警報を表示させるように制御するプロセッサと、を含み、
前記警報は、前記使用者に注意を喚起させるように他の表示情報と明確に区別された形式により表示される、
ことを特徴とする移動通信端末機。
【請求項１２】
前記警報は, 前記予定された行事に関する情報が前記表示部の画面を横切って移動しながら表示されることを特徴とする請求項１１記載の移動通信端末機。
【請求項１３】
前記警報は、前記予定された行事に関する情報が前記表示部にハイライトされて表示されることを特徴とする請求項１１記載の移動通信端末機。
【請求項１４】
前記警報は、前記予定された行事に関する情報が前記表示部に点滅しながら表示されることを特徴とする請求項１１記載の移動通信端末機。
【請求項１５】
前記警報は、前記予定された行事に関する情報が前記表示部の画面を横切って動画形式で表示されることを特徴とする請求項１１記載の移動通信端末機。
【請求項１６】
前記警報は、 前記予定された行事の発生前に所定の時間間隔で表示されることを特徴とする請求項１１記載の移動通信端末機。
【請求項１７】
前記時間間隔は、使用者によって選択されて設定されることを特徴とする請求項１６記載の移動通信端末機。
【請求項１８】
前記行事に関する情報は、使用者によって選択された速度で前記表示部の画面を横切って移動することを特徴とする請求項１２記載の移動通信端末機。
【請求項１９】
複数の前記警報が前記表示部の画面上に表示可能とされ、
最初に発生する第１の行事に関する第１の警報が次に遅れて発生する第２の行事に関する第２の警報よりも早い時間に表示されることを特徴とする請求項１１記載の移動通信端末機。
【請求項２０】
前記使用者が前記表示部の画面上に同時に表示される前記複数の警報の最大個数を設定可能としたことを特徴とする請求項１９記載の移動通信端末機。
【発明の詳細な説明】
【技術分野】
【０００１】
本発明は、移動通信端末機のスケジュール管理方法及び移動通信端末機に関する。
【背景技術】
【０００２】
一般に、多くの移動通信端末機は、暦と時間スケジュール機能を有している。従って、使用者は日付、 打ち合わせ時間、記念日などを移動通信端末機に登録することで自分のスケジュールを設定することができる。使用者はまた登録された日付に対応するアラーム機能を設定することで自分のスケジュールを管理することができる。
【発明の開示】
【発明が解決しようとする課題】
【０００３】
最近、可聴音（例えば、リングトーン、音楽等）を発して使用者に注意を喚起するタイムスケジューリング機能を備えた移動通信端末機が提供された。しかし、多くの使用者は、音に気づかないで予定された打ち合わせ時刻や期限を逃してしまうことがあった。
【０００４】
そこで、本発明は、このような問題に対処し、より明瞭な注意喚起機能を提供することにより使用者が自分のスケジュールを容易に確認可能にした移動通信端末機のスケジュール管理方法及び移動通信端末機を提供することを目的とする。
【課題を解決するための手段】
【０００５】
本発明は、移動通信端末機のスケジューリング機能を利用して該移動通信端末機の使用者に予定された行事を通知するスケジュール管理方法であって、前記使用者に注意を喚起させるように他の表示情報と明確に区別された形式により、前記移動通信端末機の表示部に前記予定された行事に関する警報を表示するものである。
【０００６】
一実施形態によれば、前記警報は、前記予定された行事に関する情報がハイライトされて又は点滅しながら前記表示部の画面を横切って移動表示される。他の実施形態によれば、前記警報は、前記予定された行事に関する情報が前記表示部の画面を横切って動画形式で表示される。前記行事に関する情報は、使用者によって選択された速度で前記表示部の画面を横切って移動する。
【０００７】
さらに他の実施形態によれば、前記警報は、 前記予定された行事の発生前に所定の時間間隔で表示される。また、この時間間隔は、使用者によって選択されて設定される。
【０００８】
本発明のスケジューリング機能を有する移動通信端末機は、表示部と、前記表示部の画面上に予定された行事に関する警報を表示させるように制御するプロセッサと、を含み、前記警報は、前記使用者に注意を喚起させるように他の表示情報と明確に区別された形式により表示されるものである。
【発明の効果】
【０００９】
本発明によれば、使用者に注意を喚起させるように他の表示情報と明確に区別された形式により、表示部に予定された行事に関する警報を表示するようにしているので、使用者は自分の設定したスケジュールを容易に確認することができる。従って、予定された行事を逃してしまうミスを防止することができる。
【発明を実施するための最良の形態】
【００１０】
以下、本発明に係る具体的な実施形態を、添付図面を参照して説明する。
図１は本実施形態に係る移動通信端末機の構成を示すブロック図である。
図１に示すように、移動通信端末機１００は、無線送受信機１１０、データプロセッサ１２０、オーディオプロセッサ１３０、メモリー１４０、表示部１５０、入力装置１６０、タイマー１７０、及び制御部１８０を含む。無線送受信機１１０は、移動通信端末機１００の通信機能を遂行するものであり、送信信号の周波数をアップコンバーティング（up-converting）して増幅させるＲＦ送信機、及び受信信号を低雑音増幅してダウンコンバーティング（down-converting）するＲＦ受信機を含んでいる。
【００１１】
データプロセッサ１２０は、送信信号を暗号化して変調する送信部及び受信信号を複合化して復調する受信部を含む。オーディオプロセッサ１３０は、データプロセッサ１２０によって複合化されて出力されたオーディオ信号を再生すると共に、マイクロフォンによって取り込まれたオーディオ信号をデータプロセッサ１２０に送信する。
【００１２】
本実施形態によれば、オーディオプロセッサ１３０は、制御部１８０によって制御され、使用者によって設定されたテキスト（text）内容を音声に変換してスピーカから出力させるものである。メモリー１４０は、少なくとも一つのプログラムメモリーとデータメモリーを含んでいる。プログラムメモリーは、移動通信端末機１００の一般的な動作を制御するためのプログラムを格納するものである。
【００１３】
本実施形態によれば、メモリー１４０は、スケジュール管理プログラムと使用者によって入力されたスケジュール情報とを格納するものである。また、このスケジュール情報には、予定時刻と日付とが含まれる。
【００１４】
表示部１５０は、多種類の表示情報と多様なメニュー画面とを表示するものであり、液晶表示（Liquid Crystal Display：ＬＣＤ）素子又は有機ＥＬ素子（Organic Light Emitting Diode：ＯＬＥＤ）を含む。
【００１５】
本実施形態によれば、表示部１５０は、制御部１８０によって制御され、使用者がスケジュール情報を入力できるようにするスケジュール管理プログラムの多様なメニュー画面と、入力されたスケジュール情報及びスケジュール管理機能を設定するための多様なメニュー画面を表示するようになっている。
【００１６】
入力装置１６０は、数字及び文字情報を入力するための多様なボタンと、多様な機能を設定するための少なくても一つの機能ボタンとを含んでいる。この入力装置１６０には、方向キーを備えるキーパッド、ジョグダイヤル、タッチスクリーン、ジョイスティック、又は他の使用者インターフェイスを含めることができる。
【００１７】
本実施形態によれば、入力装置１６０は、使用者によって入力されたスケジュール情報を制御部１８０に送る。この場合、上記スケジュール情報は、予定時刻及び日付を含むものである。タイマー１７０は、現在の日付及び時刻情報を制御部１８０に提供する。制御部１８０は、移動通信端末機１００の全体的な動作を制御するものであり、前述したデータプロセッサ１２０及び／又はタイマー１７０を含めてもよい。
【００１８】
本実施形態によれば、制御部１８０は、メモリー１４０に格納されたスケジュール情報から予定日付及び時刻を読み出して、この予定日付及び時刻と現在日付及び時刻とを比較し、現在時刻から２４時間以内のスケジュール情報を確認する。制御部１８０は、スケジュール情報が画面を少なくとも一方向に横切って移動しながら表示されるように表示部１４０を制御する。
【００１９】
図２は本実施形態に係る移動通信端末機を使用したスケジュール管理方法を説明するフローチャートである。図２に示すように、使用者はスケジュール管理プログラムを使用して自分のスケジュール情報を入力する。スケジュール管理プログラムに基づいて、使用者は入力装置１５０を介してスケジュール管理メニューを選択して、多様な種類の情報を移動通信端末機１００に入力する。
【００２０】
上記多様な情報とは、人の名前、居住所、会社の住所、電子メールアドレス、誕生日、 結婚記念日などを含むものである。使用者によって入力されたこのようなスケジュール情報は、メモリー１４０のスケジュール管理プログラムに格納される（Ｓ２１０）。本実施形態において、使用者は、スケジュール管理機能を使用するためにＤ−１スケジュール管理機能を設定する（Ｓ２２０）。
【００２１】
図３に示すように、使用者は、入力装置１５０を操作して表示部１５０に表示されたメニュー画面３００からスタンバイディスプレイ（standby display）メニューを選択する。使用者がスタンバイディスプレイメニューを選択すると、図４に示すように、待機画面メニュー及びディスプレイアイテムメニューを含む画面３１０が表示される。
【００２２】
ここで、使用者が待機画面メニューを選択すれば、図５に示すように、待機画面設定メニュー３２０が表示部１５０に表示される。待機画面設定メニュー３２０において、使用者は待機画面上に挿入されるファイルを選択することができる。このように、待機画面設定メニュー３２０を使用して、使用者は、待機画面上に挿入する多様なファイルを設定することができる。
【００２３】
使用者は、図４に示す画面３１０からディスプレイアイテム設定メニュー３３０を選択することができる。このディスプレイアイテム設定メニュー３３０は、図６に示すように、時計、こよみ、Ｄ−１スケジューラ、及びアニメーション速度を設定するためのメニュー画面である。
【００２４】
使用者は、時計設定窓３３２により、デジタル時計、アナログ時計、デュアルクロック（dual clock）、及び時計が“見えない” 等の各アイテムを設定することができる。また、使用者は、こよみ設定窓３３４により、 "暦設定"又は暦が“見えない”等のアイテムを設定することができる。本実施形態においては、使用者は、Ｄ−１スケジューラ設定窓３３６を使用して、スケジュール管理機能を設定することができる。
【００２５】
Ｄ−１スケジューラ設定窓３３６の下側に設けられた速度設定窓３３８は、画面を横切って表示される使用者のスケジュール情報の移動速度を設定する窓である。スケジュール情報の移動速度としては、ゆっくり、普通、速く、非常に速く等の多様な速度を設定することができる。従って、本実施形態によれば、使用者は、スケジュール管理機能を設定することができ、同時に予定された行事時刻になる前の所定時刻に移動通信端末機の画面に表示される動画（an animated object）を選択することができる。
【００２６】
また、図２に示すように、タイマー１７０は、現在の日付及び時刻情報を制御部１８０に提供する。 制御部１８０は、タイマー１７０から提供された現在日付及び時刻情報を確認し（Ｓ２３０）、スケジュール管理プログラムに設定されたスケジュール情報とタイマー１７０から提供された現在の日付及び時刻情報とを比較する（Ｓ２４０）。
【００２７】
本実施形態において、制御部１８０は、現在時刻から２４時間以内のスケジュール情報を確認する（Ｓ２５０）。制御部１８０は、現在時刻から２４時間以内のスケジュール情報が少なくとも一方向に画面を横切って移動しながら表示されるように表示部１５０を制御する（Ｓ２６０）。スケジュール情報の移動速度は、図６に示す速度設定窓３３８を使用して設定された速度に従う。
【００２８】
図７は本実施形態による画面上から一方向に動くスケジュール情報を説明する画面の一表示例を示すものである。図７に示すように、画面には、予定した内容、予定時刻、及び予定日付を含むスケジュール情報を表示することができる。
【００２９】
本実施形態において、現在時刻から２４時間以内のスケジュール情報の個数は、移動通信端末機の画面上に一度に表示可能なアイテムの個数を越えてもよい。この場合、制御部１８０は、所定個数のスケジュール情報が待機画面上に表示にされるように表示情報（アイテム）の個数を制限する。
【００３０】
例えば、一度に表示可能なアイテムの個数が五つの場合には、制御部１８０は、現在時刻から２４時間以内のスケジュール情報の個数が五つを超えるか否かを判定する。本実施形態においては、表示部１６０は、一つ以上のスケジュール情報を表示することができる。この場合、複数のスケジュール情報は、それぞれ分離されて列状に表示される。
【００３１】
本実施形態において、複数個のスケジュール情報の内一つが画面上に表示された状態で特定イベントが発生した場合、画面上に表示されているスケジュール情報以外のスケジュール情報が交互に画面上に表示される。ここで、“特定イベント”という用語は、特定キーが選択された場合を意味する。例えば、スライディング式移動通信端末機のスライダー又はフォルダ式移動通信端末機のフォルダが開かれたり閉じられたりした場合、又は使用者が移動通信端末機に触れた場合なども含まれる。
【００３２】
本実施形態によれば、スケジュール情報が画面上にテキスト形態で表示される。他の実施形態においては、スケジュール情報は、スケジュール管理テーブルの形式で又は画面上にアイコンで表示される。スケジュール管理テーブルは、例えば、ハイライト、点滅、拡大又は他の機能による多様な形態でＤ−１スケジュール情報を示すことができる。
【００３３】
本実施形態において、制御部１８０は、現在時刻から２４時間以内のスケジュール情報を画面上に表示させる。他の実施形態においては、制御部１８０は、曜日、週、又は月単位のスケジュール情報を待機画面上に表示させる。このような表示単位は、使用者が適宜選択して設定することができる。
【００３４】
前述したように、使用者は、自分の移動通信端末機に行事を予定することができるし、計画された行事を使用者に予め通知して注意喚起する警告機能を移動通信端末機に設定することができる。使用者は、注意喚起を促す警告が生成される期間を設定することもできる。本実施形態において、警告は、使用者が関心を持つように、例えば動画の形式で表示される。
【００３５】
以上は、本発明の一実施形態について説明しているが、本発明は前述した特定の実施形態に限定されず、当業者は、本発明の技術的思想を逸脱しない範囲内で、様々な置換、変形、及び変更が可能であり、このような置換、変更等は、特許請求の範囲に属するものである。
【図面の簡単な説明】
【００３６】
【図１】本実施形態による移動通信端末機の構成を示すブロック図である。
【図２】本実施形態による移動通信端末機を使用したスケジュール管理方法を説明するフローチャートである。
【図３】本実施形態によるスケジュール管理機能を設定する手順を説明する図であり、メニュー画面の表示例である。
【図４】本実施形態によるスケジュール管理機能を設定する手順を説明する図であり、スタンバイディスプレイメニューが選択された際の表示例である。
【図５】本実施形態によるスケジュール管理機能を設定する手順を説明する図であり、待機画面設定メニューの表示例である。
【図６】本実施形態によるスケジュール管理機能を設定する手順を説明する図であり、ディスプレイアイテム設定メニューの表示例である。
【図７】待機画面上に特定方向に動きながら表示されるスケジュール情報を説明する図である。
【符号の説明】
【００３７】
１２０…データプロセッサ
１３０…オーディオプロセッサ
１４０…メモリー
１５０…表示部
１６０…入力装置
１７０…タイマー
１８０…制御部
【図１】
2008021313.tif 000003
【図２】
2008021313.tif 000004
【図３】
2008021313.tif 000005
【図４】
2008021313.tif 000006
【図５】
2008021313.tif 000007
【図６】
2008021313.tif 000008
【図７】
2008021313.tif 000009